(57)【要約】【課題】ほかの装置が受信して録画された番組を再生できるようにした放送受信装置およびそのような再生を可能にする鍵データ共有方法を提供する。【解決手段】デジタル放送受信装置１１は、デジタル放送の放送信号を選択して受信するチューナと、記録媒体または自装置固有の鍵データを生成する鍵データ生成手段と、記録媒体に鍵データ生成手段が生成していない非生成鍵データが記録されていたときに、その非生成鍵データを鍵データ生成手段が生成した生成鍵データに変更する鍵データ変更手段とを有している。【選択図】図５
2009044533.tif 000002
【特許請求の範囲】
【請求項１】
デジタル放送の放送信号を選択して受信するチューナと、
記録媒体または自装置固有の鍵データを生成する鍵データ生成手段と、
前記記録媒体に前記鍵データ生成手段が生成していない非生成鍵データが記録されていたときに、該非生成鍵データを前記鍵データ生成手段が生成した生成鍵データに変更する鍵データ変更手段とを有することを特徴とする放送受信装置。
【請求項２】
前記記録媒体を用いるディスクレコーダが接続される接続部と、
前記鍵データを生成した放送受信装置と生成された前記鍵データとを対応付けている鍵データテーブルが前記接続部に接続された前記ディスクレコーダが用いる前記記録媒体に記録されていないときに前記鍵データテーブルを生成する鍵データテーブル生成手段と、
該鍵データテーブル生成手段が生成した前記鍵データテーブルを前記接続部に接続されている前記ディスクレコーダが用いる前記記録媒体に記録させる記録制御手段を更に有することを特徴とする請求項１記載の放送受信装置。
【請求項３】
前記接続部に接続された前記ディスクレコーダが用いる前記記録媒体に記録されている前記鍵データテーブルから前記非生成鍵データを取得する取得手段と、
前記ディスクレコーダが用いる前記記録媒体に記録されている映像データの暗号化に用いられ、かつ前記非生成鍵データで暗号化されているタイトル鍵データを前記取得手段が取得した前記非生成鍵データを用いて復号する復号手段と、
該復号手段が前記タイトル鍵データを復号した後、前記鍵データ変更手段が前記非生成鍵データを変更するように制御する鍵データ変更制御手段とを更に有する請求項２記載の放送受信装置。
【請求項４】
前記復号手段により復号された前記タイトル鍵データを前記生成鍵データを用いて符号化する符号化手段を更に有することを特徴とする請求項３記載の放送受信装置。
【請求項５】
前記チューナが前記放送信号を受信して得られる映像データを用いて映像を表示する映像表示手段を更に有することを特徴とする請求項１〜４のいずれか一項記載の放送受信装置。
【請求項６】
デジタル放送の放送信号を選択して受信するチューナを備えた放送受信装置に適用される鍵データ共有方法であって、
記録媒体または自装置固有の鍵データを生成し、
前記記録媒体に自装置で生成していない非生成鍵データが記録されていたときに、前記非生成鍵データを前記生成された鍵データに変更することを特徴とする鍵データ共有方法。
【発明の詳細な説明】
【技術分野】
【０００１】
本発明は、地上放送、衛星放送等のテレビ放送の受信手段を備えた放送受信装置およびその放送受信装置に適用される鍵データ共有方法に関する。
【背景技術】
【０００２】
従来、地上放送、衛星放送等のテレビ放送の受信手段を備えた放送受信装置は様々なタイプのものが実用化されている。近年の放送受信装置は従来のアナログ放送に加えてデジタル放送の放送波を受信し、受信した放送波から取り出した映像信号を用いて番組の映像を表示するデジタル放送に対応した装置が普及している。
【０００３】
ところで、このような放送受信装置がデジタル放送を受信して得られる映像データはデジタルデータであり、劣化させることなく複製することが可能である。そのため、従来、この種のデジタルデータ（デジタルコンテンツともいう）を自由に利用できる範囲を固定したグループを形成して、そのグループ内の機器間でデジタルコンテンツの利用を管理するようにした管理システムが知られている（例えば特許文献１参照）。
【特許文献１】特開２００４−１２０７３６号公報
【発明の開示】
【発明が解決しようとする課題】
【０００４】
従来の放送受信装置は、ハードディスクやＤＶＤ−ＲＡＭ，ＤＶＤ−Ｒ等のディスク状の記録媒体を用いてデータを記録するディスクレコーダ（例えば、ハードディスク装置など）を接続することによって、映像データを記録したり、記録した映像データを用いて映像を再生することも可能となっている。
【０００５】
しかし、従来の放送受信装置は、映像の再生に用いることのできるディスクレコーダとの対応関係に制約があり、録画した番組の再生に必要な鍵データが自装置にしか記憶されていないため、録画した番組はその番組の受信に用いた装置でしか再生することができなかった。
【０００６】
そのため、例えば、あるディスクレコーダを用いて番組を録画した後、そのディスクレコーダを別の放送受信装置に接続しても、録画に用いたほうの装置でしか録画した番組を再生することができず、不便であった。
【０００７】
そこで、本発明は上記課題を解決するためになされたもので、ほかの装置が受信して録画された番組を再生できるようにした放送受信装置およびそのような再生を可能にする鍵データ共有方法を提供することを目的とする。
【課題を解決するための手段】
【０００８】
上記課題を解決するため、本発明は、デジタル放送の放送信号を選択して受信するチューナと、記録媒体または自装置固有の鍵データを生成する鍵データ生成手段と、記録媒体に鍵データ生成手段が生成していない非生成鍵データが記録されていたときに、その非生成鍵データを鍵データ生成手段が生成した生成鍵データに変更する鍵データ変更手段とを有する放送受信装置を特徴とする。
【０００９】
また、本発明は、デジタル放送の放送信号を選択して受信するチューナを備えた放送受信装置に適用される鍵データ共有方法であって、記録媒体または自装置固有の鍵データを生成し、記録媒体に自装置で生成していない非生成鍵データが記録されていたときに、非生成鍵データを生成された鍵データに変更する鍵データ共有方法を提供する。
【発明の効果】
【００１０】
以上詳述したように、本発明によれば、ほかの装置が受信して録画された番組を再生できるようにした放送受信装置およびそのような再生を可能にする鍵データ共有方法が得られる。
【発明を実施するための最良の形態】
【００１１】
以下、本発明の実施の形態について説明する。なお、同一要素には同一符号を用い、重複する説明は省略する。
【００１２】
図１は、本発明の実施の形態に係るデジタル放送受信装置１１，１０１と、これらに接続されるディスクレコーダとしてのハードディスク装置（ＨＤＤ：Hard  Disk  Drive）２７とを示す図である。
【００１３】
デジタル放送受信装置１１，１０１はそれぞれＨＤＤ２７が接続されているときに、それぞれが放送信号を受信して得られる映像データをＨＤＤ２７のハードディスクに記録して番組の録画を行う。なお、デジタル放送受信装置１０１はデジタル放送受信装置１１と同じ構成を有するので、以下の説明は、デジタル放送受信装置１１を中心にして行う。
【００１４】
次に、図２は、デジタル放送受信装置１１と、デジタル放送受信装置１１を中心として構成されるネットワークシステム１００の構成を示すブロック図である。
【００１５】
デジタル放送受信装置１１は、図２に示すように、キャビネット１２と、キャビネット１２を起立させて支持する支持台１３とを有している。キャビネット１２は、液晶表示パネルを備えた平面パネル型の液晶表示装置１４と、音声を出力する音声出力手段としてのスピーカ１５と、操作部１６とを有し、また、リモートコントローラ１７から送信される操作情報を受ける受光部１８を有している。
【００１６】
デジタル放送受信装置１１は、映像を表示する表示手段としての液晶表示装置１４によって映像を表示する映像表示装置であって、ＳＴＢ３５やＨＤ  ＤＶＤプレーヤ３６から入力する映像信号を用いて映像を表示する。
【００１７】
デジタル放送受信装置１１は、例えばＳＤ（Secure  Digital）メモリカード、ＵＳＢメモリ等のメモリカード１９（図３参照）が着脱可能となっており、このメモリカード１９を用いて番組や写真等の記録再生が行われるようになっている。
【００１８】
そして、デジタル放送受信装置１１は、第１のＬＡＮ（Local  Area  Network）端子２１、第２のＬＡＮ（Local  Area  Network）端子２２、第１のＨＤＭＩ（High-Definition  Multimedia  Interface）端子２３、第２のＨＤＭＩ（High-Definition  Multimedia  Interface）端子２４、ＵＳＢ端子４０を有している。
【００１９】
これらの端子は、ユーザの行う操作に対応して選択され、選択された端子に接続されている外部装置が映像表示用の外部装置に設定される。例えば、ユーザの行う操作によって第１のＨＤＭＩ端子２３が選択されたときはＳＴＢ３５が映像表示用の外部装置に設定される。
【００２０】
第１のＬＡＮ端子２１は、ＬＡＮ対応ＨＤＤ専用ポートとして使用される。この第１のＬＡＮ端子２１は、接続されたＮＡＳ（Network  Attached  Storage）としてのＬＡＮ対応ＨＤＤ２５に対して、イーサネット（登録商標）により情報の記録再生を行うために使用される。
【００２１】
このように、ネットワークシステム１００では、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行えるようになっている。
【００２２】
また、第２のＬＡＮ端子２２は、イーサネットを用いた一般的なＬＡＮ対応ポートとして使用される。この第２のＬＡＮ端子２２は、例えばハブ２６を介して、ディスクレコーダとしてのＬＡＮ対応の外付けＨＤＤ２７、ＰＣ（Personal  Computer）２８、ＨＤＤ内蔵のＤＶＤ（Digital  Versatile  Disk）レコーダ２９等の機器が接続され、これらの機器と情報伝送を行なうために使用される。第２のＬＡＮ端子２２は、ＨＤＤ２７が接続される接続部としての機能を有している。
【００２３】
さらに、第２のＬＡＮ端子２２はハブ２６に接続されたブロードバンドルータ３１と、インターネット等のネットワーク３２を介してＰＣ３３や携帯電話３４が接続され、ＰＣ３３や携帯電話３４と情報伝送を行うためにも使用される。
【００２４】
そして、第１、第２のＨＤＭＩ端子２３、２４は、ＨＤＭＩ規格にしたがって、高精細のデジタル映像信号およびデジタル音声信号を外部装置から入力するための端子である。第１のＨＤＭＩ端子２３には外部装置としてＳＴＢ３５が接続され、第２のＨＤＭＩ端子２４にはＨＤ  ＤＶＤプレーヤ３６が接続される。
【００２５】
第１、第２のＨＤＭＩ端子２３，２４は、デジタル映像信号およびデジタル音声信号が外部装置との間でＨＤＭＩケーブル３７のデータライン３７ａを介して入出力される。また、第１、第２のＨＤＭＩ端子２３，２４は、デジタル放送受信装置１１と外部装置とにおける種々の制御機能（例えば、デジタル放送受信装置１１による外部装置の電源オンオフ制御）を実現するためのデータ（“Power  On”コマンドや、“Power  off”コマンドなどの各コマンドなど）がＣＥＣライン３７ｂを介して入出力される。
【００２６】
ＳＴＢ３５は、図示しないケーブルテレビのネットワークに接続して番組を受信したり、図示しない電話回線に接続してインターネット接続を行う。ＳＴＢ３５は、映像信号をＨＤＭＩケーブル３７を介してデジタル放送受信装置１１に出力する。
【００２７】
ＨＤ  ＤＶＤプレーヤ３６は、ＨＤ  ＤＶＤ（High  Definition  ＤＶＤ）規格による映像信号の再生を行い、再生した映像信号をＨＤＭＩケーブル３７を介してデジタル放送受信装置１１に出力する。
【００２８】
デジタル放送受信装置１１は、第１、第２のＨＤＭＩ端子２３，２４によって、映像信号、音声信号および制御信号をデジタルのままで入力できるようになっている。ＵＳＢ端子４０は、ＵＳＢケーブルを介して外部装置（例えばＨＤＤ４１）が接続される。
【００２９】
次に、図３を参照してデジタル放送受信装置１１の内部の構成について説明する。図３はデジタル放送受信装置１１の内部の主要な構成を示すブロック図である。
【００３０】
デジタル放送受信装置１１は、入力端子４４，４９、チューナ４５，５０，５２およびＰＳＫ（Phase  Shift  Keying）復調器４６を有している。また、デジタル放送受信装置１１は、信号処理部４７、ＯＦＤＭ（Orthogonal  Frequency  DivisionMultiplexing）復調器５１、アナログ復調器５３、グラフィック処理部５４、音声処理部５５、ＯＳＤ信号生成部５７および映像処理部５８を有している。
【００３１】
入力端子４４には、ＢＳ／ＣＳデジタル放送受信アンテナ４３が捕らえた衛星デジタル放送信号が入力される。衛星デジタル放送信号は入力端子４４からチューナ４５に供給される。チューナ４５は衛星デジタル放送用のチューナであって、供給される衛星デジタル放送信号から所望のチャンネルの放送信号を選択して受信する。
【００３２】
このチューナ４５で選局された放送信号はＰＳＫ復調器４６に供給される。ＰＳＫ復調器４６はデジタルの映像信号及び音声信号の復調処理を行い、信号処理部４７に出力する。
【００３３】
入力端子４９には、地上放送受信アンテナ４８が捕らえた地上デジタル放送信号が入力される。地上デジタル放送信号は入力端子４９からチューナ５０に供給される。チューナ５０は地上デジタル放送用のチューナであって、供給される地上デジタル放送信号から所望のチャンネルの放送信号を選択して受信する。
【００３４】
このチューナ５０で選局された放送信号はＯＦＤＭ復調器５１に供給される。ＯＦＤＭ復調器５１はデジタルの映像信号及び音声信号の復調処理を行い、信号処理部４７に出力する。
【００３５】
また、入力端子４９には、地上放送受信アンテナ４８が捕らえた地上アナログ放送信号が入力される。地上アナログ放送信号は入力端子４９からチューナ５２に供給される。チューナ５２は地上アナログ放送用のチューナであって、供給される地上アナログ放送信号から所望のチャンネルの放送信号を選択して受信する。
【００３６】
このチューナ５２で選局された放送信号はアナログ復調器５３に供給される。アナログ復調器５３は、アナログの映像信号及び音声信号の復調処理を行い、信号処理部４７に出力する。
【００３７】
信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力する。
【００３８】
また、信号処理部４７には、複数（図示の場合は４つ）の入力端子５６ａ，５６ｂ，５６ｃ，５６ｄが接続されている。これら入力端子５６ａ〜５６ｄは、外部装置としてのＤＶＤレコーダ２９などから、アナログの映像信号及び音声信号を入力可能とするものである。
【００３９】
そして、この信号処理部４７は、アナログ復調器５３及び各入力端子５６ａ〜５６ｄからそれぞれ供給されたアナログの映像信号及び音声信号を選択的にデジタル化する。また、信号処理部４７は、デジタル化された映像信号及び音声信号に対して所定のデジタル信号処理を施した後、グラフィック処理部５４及び音声処理部５５に出力する。
【００４０】
グラフィック処理部５４は、信号処理部４７から供給されるデジタルの映像信号に、ＯＳＤ（On Screen Display）信号生成部５７で生成されるＯＳＤ信号を重畳して出力する。このグラフィック処理部５４は、信号処理部４７の出力映像信号と、ＯＳＤ信号生成部５７が出力するＯＳＤ信号とを選択的に出力することと、両出力をそれぞれ画面の半分を構成するように組み合わせて出力することとの双方を行える。
【００４１】
グラフィック処理部５４から出力されたデジタルの映像信号は、映像処理部５８に供給される。この映像処理部５８は、入力されたデジタルの映像信号を、液晶表示装置１４で表示可能なフォーマットのアナログ映像信号に変換した後、液晶表示装置１４に出力する。また、映像処理部５８はアナログ映像信号を出力端子５９ａを介して外部に導出する。
【００４２】
音声処理部５５は、入力されるデジタルの音声信号をスピーカ１５で再生可能なフォーマットのアナログ音声信号に変換した後、スピーカ１５に出力する。また、音声処理部５５は、アナログ音声信号を出力端子５９ｂを介して外部に導出する。
【００４３】
そして、デジタル放送受信装置１１は、制御部６０と、カードホルダ６６および各種インターフェース（カードＩ／Ｆ６５，通信Ｉ／Ｆ６８，通信Ｉ／Ｆ６９，第１のＨＤＭＩＩ／Ｆ７０，第２のＨＤＭＩＩ／Ｆ７１，ＨＤＭＩ−ＣＥＣＩ／Ｆ７２を有している。
【００４４】
制御部６０はＣＰＵ（Central  Processing  Unit）６１、ＲＯＭ(Read  Only  Memory)６２、ＲＡＭ（Random  Access  Memory）６３および不揮発性メモリ６４を有している。この制御部６０は、放送信号の受信動作を含むデジタル放送受信装置１１の動作を統括的に制御する。また、制御部６０は、操作部１６からの操作情報を受け、または、リモートコントローラ１７から送出された操作情報を受光部１８を介して受信し、その操作内容が反映されるように各部をそれぞれ制御している。
【００４５】
ＣＰＵ６１は、ＲＯＭ６２に記憶されているプログラムにしたがい各種手段（鍵データ生成手段、鍵データ変更手段、鍵データテーブル生成手段、記録制御手段、取得手段、復号手段、鍵データ変更制御手段、符号化手段）として作動する一方、他の構成要素との信号の入出力を行い、デジタル放送受信装置１１全体の動作制御を行う。
【００４６】
ＲＯＭ６２は、主としてＣＰＵ６１が実行する制御プログラムを格納している。ＲＡＭ６３は、ＣＰＵ６１に作業エリアを提供する。不揮発性メモリ６４は、各種の設定情報及び制御情報等が格納されている。本実施の形態では、不揮発性メモリ６４には後述するディスク鍵などが格納されている。
【００４７】
そして、制御部６０は、カードＩ／Ｆ（Interface）６５を介して、メモリカード１９が装着可能なカードホルダ６６に接続されている。これによって、制御部６０は、カードホルダ６６に装着されたメモリカード１９と、カードＩ／Ｆ６５を介して情報伝送を行える。
【００４８】
また、制御部６０は、通信Ｉ／Ｆ６８を介して第１のＬＡＮ端子２１に接続されている。これにより、制御部６０は、第１のＬＡＮ端子２１に接続されたＬＡＮ対応ＨＤＤ２５と、通信Ｉ／Ｆ６８を介して情報伝送を行うことができる。この場合、制御部６０は、ＤＨＣＰ（Dynamic  Host  Configuration  Protocol）サーバ機能を有し、ＬＡＮ端子２１に接続されたＬＡＮ対応ＨＤＤ２５にＩＰ（Internet  Protocol）アドレスを割り当てて制御している。
【００４９】
制御部６０は、通信Ｉ／Ｆ６９を介して第２のＬＡＮ端子２２に接続されている。これにより、制御部６０は、第２のＬＡＮ端子２２に接続されたＨＤＤ２７などの各装置と、通信Ｉ／Ｆ６９を介して情報伝送を行うことができる。
【００５０】
制御部６０は、第１のＨＤＭＩＩ／Ｆ７０およびＨＤＭＩ−ＣＥＣＩ／Ｆ７２を介して第１のＨＤＭＩ端子２３に接続され、第２のＨＤＭＩＩ／Ｆ７１およびＨＤＭＩ−ＣＥＣＩ／Ｆ７２を介して第２のＨＤＭＩ端子２４に接続されている。これにより、制御部６０は、第１，第２のＨＤＭＩ端子２３，２４に接続されているＳＴＢ３５およびＨＤ  ＤＶＤプレーヤ３６と、第１、第２のＨＤＭＩＩ／Ｆ７０，７１、ＨＤＭＩ−ＣＥＣＩ／Ｆ７２を介して情報伝送を行うことができる。
【００５１】
（動作内容の説明）
次に、以上の構成を有するデジタル放送受信装置１１が実行するディスク鍵共有動作の動作内容について説明する。本実施の形態において、ディスク鍵共有動作とは、デジタル放送受信装置１１と、デジタル放送受信装置１０１とにより、後述するディスク鍵を共有するようにして、それぞれが放送信号を受信してＨＤＤ２７のハードディスクに録画した番組を双方で再生するための動作を意味している。
【００５２】
デジタル放送受信装置１１は、図４に示すフローチャートに沿ってディスク鍵共有動作を実行する。デジタル放送受信装置１１は、第２のＬＡＮ端子２２にハブ２６を介してＨＤＤが接続されたときに図４に示すフローチャートに沿った動作を行ってディスク鍵共有動作を実行する。
【００５３】
この場合、ディスク鍵共有動作はＣＰＵ６１が制御している。なお、以下の説明では、デジタル放送受信装置１１の第２のＬＡＮ端子２２にハブ２６を介してＨＤＤ２７が接続された場合を想定している。
【００５４】
ＣＰＵ６１は、第２のＬＡＮ端子２２にＨＤＤ２７が接続されたことを検知したときにディスク鍵共有動作を開始し、Ｓ１で登録済み判定手段としての動作を行い、そのＨＤＤ２７が登録済みか否かを判定する。
【００５５】
ＣＰＵ６１は、ＨＤＤ２７からＨＤＤ２７を一意に識別できる識別コード（例えば、ＨＤＤ２７個体に割り振られているシリアル番号や、ＨＤＤ２７に対して初期登録時に割り振られた識別番号など）を取得し、不揮発性メモリ６４に記憶されているデータと照合して、ＨＤＤ２７が登録済みどうかを判定する。
【００５６】
そして、ＣＰＵ６１はＨＤＤ２７が登録されていないと判定したときはＳ２に動作を進めるが、そうでなければＨＤＤ２７が登録済みのためディスク鍵共有動作を終了する。
【００５７】
ＣＰＵ６１がＳ２に動作を進める場合はデジタル放送受信装置１１からみてＨＤＤ２７が未登録の場合に相当する。この場合、ＣＰＵ６１はＳ２を実行してＨＤＤ２７の登録作業を行う。例えば、接続されたＨＤＤ２７のハードディスクにそのＨＤＤ２７固有の識別番号を記録させるとともに、記録させた識別番号を登録ＨＤＤ情報として不揮発性メモリ６４に記憶させる。
【００５８】
次に、ＣＰＵ６１はＳ３に動作を進め、鍵データ生成手段としての動作を行い鍵データとしてのディスク鍵を生成して不揮発性メモリ６４に記憶させる。
【００５９】
ここで、ディスク鍵とは、ＨＤＤ２７と一対一に対応したＨＤＤ２７固有のデータであって、ＨＤＤ２７ごとに異なるデータである。ＣＰＵ６１は例えば、乱数生成処理を利用するなどしてディスク鍵を生成できる。ただし、上述の登録ＨＤＤ情報から、ＨＤＤ２７に対応するディスク鍵を取得できる必要がある。
【００６０】
続いてＣＰＵ６１はＳ４に動作を進め、ハブ２６を介して第２のＬＡＮ端子２２に接続されているＨＤＤ２７のハードディスクに、後述するディスク鍵テーブル２００が存在するかどうかを判定する。ＣＰＵ６１はＨＤＤ２７のハードディスクにディスク鍵テーブル２００が存在しなければＳ９に動作を進め、鍵データテーブル生成手段としての動作を行ってディスク鍵テーブル２００を生成する一方、記録制御手段としての動作を行いディスク鍵テーブル２００をＨＤＤ２７のハードディスクに記録させてディスク鍵共有動作を終了する。ＣＰＵ６１はＨＤＤ２７のハードディスクにディスク鍵テーブル２００が存在すればＳ５に動作を進める。
【００６１】
なお、Ｓ９を実行する場合、ＣＰＵ６１はディスク鍵テーブル２００を暗号化せず平分のままＨＤＤ２７に記録させてもよいが、それよりは暗号化して記録させるほうが好ましい。暗号化する場合は複数のデジタル放送受信装置で復号できる鍵データを用いる必要がある。例えば、シリーズ毎に共通なシリーズ鍵などが考えられる。
【００６２】
ＣＰＵ６１はＳ５に動作を進めると、取得手段としての動作を行い、ディスク鍵テーブル２００から、そこに記憶されているディスク鍵（旧ディスク鍵）を取得し、さらに復号手段としての動作を行い後述するタイトル鍵テーブル２０１を旧ディスク鍵を用いて復号する。
【００６３】
Ｓ４からＳ５に進む場合は、ＨＤＤ２７のハードディスクにディスク鍵テーブル２００がすでに存在する場合である。この場合、ＨＤＤ２７がデジタル放送受信装置１１に対しては未登録でありながら、そのＨＤＤ２７にはディスク鍵テーブル２００がすでに存在していた、ということになる。
【００６４】
つまり、そのＨＤＤ２７は、デジタル放送受信装置１１に接続される以前に別のデジタル放送受信装置（例えば、デジタル放送受信装置１０１）に接続されたことでディスク鍵が生成され、そのデジタル放送受信装置１０１が生成したディスク鍵を備えたディスク鍵テーブル２００がＨＤＤ２７のハードディスクに記録されていたことになる。
【００６５】
次に、ＣＰＵ６１はＳ６に動作を進めて、符号化手段としての動作を行い、Ｓ５で復号したタイトル鍵テーブル２０１をＳ３で生成したディスク鍵（新ディスク鍵）で暗号化（符号化）し、その暗号化したタイトル鍵テーブル２０１をＨＤＤ２７に記録させる。
【００６６】
さらに、ＣＰＵ６１はＳ７に動作を進めて、鍵データ変更手段としての動作を行いディスク鍵変更を行う。ここで、ディスク鍵変更とは、すでに生成されている旧ディスク鍵をＳ３で新たに生成したディスク鍵（新ディスク鍵）に変更することを意味する。ＣＰＵ６１はディスク鍵変更を行うとき、ディスク鍵テーブル２００のディスク鍵記憶部２００ｂに記憶されている旧ディスク鍵をＳ３で生成した新ディスク鍵に変更する。なお、旧ディスク鍵は、デジタル放送受信装置１１のＣＰＵ６１によって生成されていない非生成鍵データに相当する。
【００６７】
また、ＣＰＵ６１はＳ８に動作を進めて、ＨＤＤ２７のディスク鍵テーブル２００をＳ７のディスク鍵変更に対応させて更新する。この場合、新ディスク鍵を生成したデジタル放送受信装置１１の識別コードをディスク鍵テーブル２００に追加して記憶させる（ディスク鍵テーブル２００にデジタル放送受信装置１１を示す“ＴＶ１１”を追加する）。ＣＰＵ６１はＳ８を終了すると、ディスク鍵共有動作を終了する。
【００６８】
そして、ディスク鍵テーブル２００は図５に示すように、テレビデータ記憶部２００ａと、ディスク鍵記憶部２００ｂとを有し、ディスク鍵を生成したデジタル放送受信装置と生成されたディスク鍵とを対応付けたものである。
【００６９】
テレビデータ記憶部２００ａには、ディスク鍵を生成したデジタル放送受信装置を示すデータ（図５では、ディスク鍵変更ｔ２前の左側のディスク鍵テーブル２００にはデジタル放送受信装置１０１を示す“ＴＶ１０１”）が記憶され、ディスク鍵記憶部２００ｂには、すでに生成されていたディスク鍵（デジタル放送受信装置１０１が生成した旧ディスク鍵“Ｋ１０１”）が記憶されている。
【００７０】
また、図５には、ディスク鍵変更ｔ２後のディスク鍵テーブル２００も示されている。このディスク鍵テーブル２００には、テレビデータ記憶部２００ａにデジタル放送受信装置１０１を示す“ＴＶ１０１”に加え、デジタル放送受信装置１１を示す“ＴＶ１１”が追加されている。
【００７１】
ＣＰＵ６１は、Ｓ５を実行するときは、ディスク鍵テーブル２００から旧ディスク鍵“Ｋ１０１”を取得する。また、ＣＰＵ６１は取得した旧ディスク鍵“Ｋ１０１”を用いてタイトル鍵テーブル２０１を復号する。
【００７２】
そして、タイトル鍵テーブル２０１は図７に示すように、タイトルデータ２０１ａと、コンテンツ鍵データ部２０１ｂとを有し、ＨＤＤ２７のハードディスクに記録されているタイトル（録画された番組の映像データ）と、各タイトルを暗号化したタイトル鍵とを対応付けて記憶したものである。図７は、デジタル放送受信装置１０１で録画した番組のタイトルについてのタイトル鍵テーブルを示している。
【００７３】
このタイトル鍵テーブル２０１に示すように、ＨＤＤ２７には複数のタイトルが記録されており、各タイトルは対応するタイトル鍵で暗号化されている。
【００７４】
また、タイトル鍵テーブル２０１は番組を受信した放送受信装置が生成したディスク鍵で暗号化されている。そのため、ＣＰＵ６１は、鍵データ変更制御手段としての動作を行い、Ｓ７のディスク鍵変更を実行する前に、Ｓ５で変更する前の旧ディスク鍵（上述の場合の“Ｋ１０１”）を取得し、その旧ディスク鍵でタイトル鍵テーブル２０１を復号した後、Ｓ７でディスク鍵変更を実行するようにしている。
【００７５】
さらに、ＣＰＵ６１はＳ６では、復号したタイトル鍵テーブル２０１をＳ３で生成した新ディスク鍵（図５に示す“Ｋ１１”）で暗号化してＨＤＤ２７に記憶させる。また、図５に示したようにＳ７のディスク鍵変更ｔ２が行われると、旧ディスク鍵（“Ｋ１０１”）が新ディスク鍵（“Ｋ１１”）に変更される。
【００７６】
そして、ＣＰＵ６１がＳ７でディスク鍵変更ｔ２を実行する場合、そのディスク鍵変更ｔ２を旧ディスク鍵を生成したデジタル放送受信装置（上述の場合では、デジタル放送受信装置１０１）に通知する。
【００７７】
その通知を受けたデジタル放送受信装置１０１は、図５に示したように不揮発性メモリ６４に記憶されているディスク鍵（旧ディスク鍵）を新ディスク鍵に変更するディスク鍵変更ｔ１を行う。
【００７８】
この場合、例えば図６に示すような変更のための操作要求画面を液晶表示装置１４に表示させ、ユーザにディスク鍵変更のための操作を実行してもらい、その操作を受けてＣＰＵ６１がディスク鍵変更を実行するようにすることができる。この場合、例えば、デジタル放送受信装置１０１がデジタル放送受信装置１１と図示しない家庭内ネットワークで接続されているときは、デジタル放送受信装置１１から新ディスク鍵を取得して、旧ディスク鍵を変更する。
【００７９】
また、デジタル放送受信装置１０１が起動していない場合は、電源が投入されたときにディスク鍵を変更させるようにしても良い。
【００８０】
なお、以上の説明では、旧ディスク鍵を生成したデジタル放送受信装置としてデジタル放送受信装置１０１だけを想定しているが、ＨＤＤ２７が例えば３台以上のデジタル放送受信装置に接続された場合など、旧ディスク鍵を生成したデジタル放送受信装置が複数台存在することもある。その場合は、それらすべてのデジタル放送受信装置に対してディスク鍵変更を通知して、不揮発性メモリ６４に記憶されているディスク鍵を変更する。
【００８１】
以上のように、ＨＤＤ２７がデジタル放送受信装置１０１に接続された後、デジタル放送受信装置１１に接続されたときは、デジタル放送受信装置１１がディスク鍵変更ｔ２を行い、ＨＤＤ２７のディスク鍵テーブル２００に記憶されていた旧ディスク鍵を新ディスク鍵に変更している。そのため、新ディスク鍵をデジタル放送受信装置１１，１０１で共有できるようになる。
【００８２】
また、デジタル放送受信装置１１は、このディスク鍵変更ｔ２を行う前に旧ディスク鍵を取得し、その旧ディスク鍵を用いてタイトル鍵テーブル２０１を復号化している、そのため、はじめにデジタル放送受信装置１０１にＨＤＤ２７を接続して番組の録画を行い、その後、そのＨＤＤ２７をデジタル放送受信装置１１に接続した場合でも、デジタル放送受信装置１０１が受信してＨＤＤ２７に録画された番組のタイトルをデジタル放送受信装置１１で再生することができる。
【００８３】
そのため、デジタル放送受信装置１１と，デジタル放送受信装置１０１とでディスク鍵の共有を通じて他方の装置が放送信号を受信したことで録画された番組を双方の装置で再生できるようになり、利便性が向上する。
【００８４】
したがって、COG（copy  one  generation）で録画した映像データの複製が複数回許されるようになった場合の条件下で、複製可能回数分までの複数の放送受信装置で録画した番組を再生できるシステムも構築することが可能になる。
【００８５】
上記の実施形態では、放送受信装置として液晶表示装置１４を備えたテレビジョン受信装置としてのデジタル放送受信装置１１を例にとって説明しているが、本実施の形態は、ＤＶＤプレーヤやＤＶＤレコーダといったチューナを備え映像データの記録や再生を行える放送受信装置にも適用することもできる。
【００８６】
また、デジタル放送受信装置１１にディスクレコーダとしてＨＤＤが接続される場合を例にとって説明しているが、本発明は、ＤＶＤ−Ｒ、ＤＶＤ−ＲＡＭなどの光ディスクを用いるディスクレコーダが接続される場合についても適用することができる。
【００８７】
上記の実施形態では、ディスク鍵を共有する場合を例にとって説明しているが、ディスク鍵が存在しない場合は、デバイス鍵（例えば、放送受信装置に固有の鍵データ）を共有するようにしてもよい。
【００８８】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００８９】
【図１】本発明の実施の形態に係る２つのデジタル放送受信装置と、これらに接続されるディスクレコーダとしてのＨＤＤとを示す図である。
【図２】ネットワークシステムの構成を示すブロック図である。
【図３】デジタル放送受信装置の内部の主要な構成を示すブロック図である。
【図４】ディスク鍵共有動作の動作手順を示すフローチャートである。
【図５】ディスク鍵変更を模式的に示した図である。
【図６】ディスク鍵変更のための操作要求画面の一例を示す図である。
【図７】タイトル鍵テーブルの一例を示す図である。
【符号の説明】
【００９０】
１１，１０１…デジタル放送受信装置、２２…第２のＬＡＮ端子、４０…ＵＳＢ端子，２７…ＨＤＤ、６０…制御部、６１…ＣＰＵ、１００…ネットワークシステム、２００…ディスク鍵テーブル。
【図１】
2009044533.tif 000003
【図２】
2009044533.tif 000004
【図３】
2009044533.tif 000005
【図４】
2009044533.tif 000006
【図５】
2009044533.tif 000007
【図６】
2009044533.tif 000008
【図７】
2009044533.tif 000009